(57)【要約】【課題】ＣＤやＤＶＤ等の記憶媒体に記録された楽曲（オーディオ情報）を再生させるときの利便性を向上できるオーディオ再生装置を提供することを目的とする。【解決手段】オーディオ再生装置において、記憶媒体に記録されている楽曲を所定の再生順序に従って再生可能なオーディオ再生部と、再生順序が一番目である楽曲（先頭楽曲）の再生を指示可能な操作部と、前記操作部からの指示に基づいて前記所定の再生順序が一番目である楽曲を特定し、当該楽曲を前記オーディオ再生手段によって再生させる制御部と、を備えるようにした。【選択図】図１
2008226330.tif 000002
【特許請求の範囲】
【請求項１】
記憶媒体に記録されている楽曲を所定の再生順序に従って再生可能なオーディオ再生部と、
再生順序が一番目である楽曲の再生を指示可能な操作部と、
前記操作部からの指示に基づいて前記再生順序が一番目である楽曲を特定し、当該楽曲を前記オーディオ再生部によって再生させる制御部と、を備えることを特徴とするオーディオ再生装置。
【請求項２】
前記記憶媒体は、該記憶媒体に記録されている楽曲を管理する楽曲管理情報を記憶し、
前記制御部は、前記楽曲管理情報に基づいて前記再生順序が一番目である楽曲を特定することを特徴とする請求項１に記載のオーディオ再生装置。
【請求項３】
前記記憶媒体は、該記憶媒体に記録されている楽曲を識別するための楽曲情報を記憶し、
前記制御部は、前記楽曲情報に基づいて前記再生順序が一番目である楽曲を特定することを特徴とする請求項１または２に記載のオーディオ再生装置。
【請求項４】
前記操作部は、前記再生順序が一番目である楽曲の再生を指示するための専用の操作ボタンであることを特徴とする請求項１から３のいずれか一項に記載のオーディオ再生装置。
【発明の詳細な説明】
【技術分野】
【０００１】
本発明は、オーディオ再生装置に関し、特に、ＡＶＮ（オーディオ・ビジュアル・ナビゲーション）装置等の車載用のオーディオ再生装置に適用して有用な技術に関する。
【背景技術】
【０００２】
従来、ＣＤ（Compact Disc）やＤＶＤ（Digital Versatile Disc）等に記録されたオーディオ情報を再生可能なオーディオ再生装置（例えば、家庭用又は車載用のＣＤプレイヤー／レシーバー）は、例えば、再生中に停止ボタンを操作されたり電源をオフされたりして再生が中断されたときに、この中断した位置を記憶しておき、次回再生時に中断位置から再生を開始する、いわゆるリジューム機能を備えている。
【０００３】
また、特許文献１には、利用者の好みに合わせてリジューム機能を自在に無効化できるようにした技術が開示されている。この技術によれば、リジューム機能を無効化することによって、次回再生時にディスクの先頭から再生させることが可能となる。
【０００４】
特許文献２には、オーディオ再生装置において、停止モードから再生を再開するとき、リジューム機能によって楽曲の途中から再生が開始されるのは好ましくないため、当該楽曲の先頭から再生が開始されるようにした技術が開示されている。
【０００５】
また、特許文献３には、記憶媒体再生装置において、例えば、一般市販用のオーディオ用ＣＤ（以下、オーディオＣＤと略称する）に収録されている楽曲の先頭及び終了をフレーム単位で検出でき、無音部分を排除できるようにした技術が開示されている。
【０００６】
さらに、特許文献４には、放送局から提供される音楽番組を受信しているときに、聴いている楽曲をその曲の先頭から再生／記録できるようにした技術が開示されている。具体的には、ラジオ放送を一定量メモリに蓄積し、音楽を聴いているときに過去再生ボタン又は過去録ボタンが操作されると、メモリに蓄積されているデータの中から当該音楽の先頭を検出し、その位置から再生又は録音を開始するものである。
【０００７】
上述したように、オーディオ再生装置においては、楽曲の途中から再生や記録が開始されると不都合な場合があるので、これを改善するための技術が提案されている。また、一般的なオーディオ再生装置は、例えば、再生中の楽曲を前後にスキップして次の楽曲を再生させることができるスキップ機能を備えている。
【特許文献１】特開２００２−５６６０３号公報
【特許文献２】特開２０００−１８２３６４号公報
【特許文献３】特開２００３−１０００６５号公報
【特許文献４】特開平７−１５３１８７号公報
【発明の開示】
【発明が解決しようとする課題】
【０００８】
ところで、従来のオーディオ再生装置には、例えば、複数の楽曲が収録されているオーディオＣＤ（例えば、アルバムが収録されたオーディオＣＤ）を再生させる際に、当該オーディオＣＤに収録されている先頭楽曲から再生を開始させるための操作ボタンは別段設けられていない。
【０００９】
例えば、一般的なオーディオ再生装置において、アルバムを先頭楽曲から再生させるためには、上述したスキップ機能を利用して、戻り方向のスキップボタンを必要な回数だけ連続操作しなければならない。
【００１０】
図５は、従来のオーディオ再生装置において、複数の楽曲が収録されたオーディオＣＤの先頭楽曲（１番目のトラック）を再生させるときの操作及び再生位置の遷移状態を示す説明図である。
【００１１】
図５に示すように、例えば、ｎ番目のトラック（Ｔｒａｃｋ−ｎ）が再生されていたときに戻り方向のスキップボタン操作が行われると、再生位置はｎ番目のトラックの先頭に遷移される。そして、スキップボタン操作が連続して行われると、（ｎ−１）番目のトラックの先頭、（ｎ−２）番目のトラックの先頭、・・と再生位置は遷移され、最終的に１番目のトラックの先頭（先頭楽曲）へと遷移されることとなる。すなわち、ｎ番目のトラックを再生しているときに、このオーディオＣＤを先頭楽曲から再生させようとすると、ｎ回のスキップボタン操作を行う必要があり不便である。
【００１２】
また、オーディオ再生装置において、一旦、オーディオＣＤを排出させた後、再度挿入することで、比較的簡単にオーディオＣＤを先頭楽曲から再生させることはできる。しかしながら、オーディオＣＤの排出・挿入動作には少なからず時間を要するので、特に運転中の利用者が安全に利用できる操作とはいえない。
【００１３】
また、引用文献１のように、レジューム機能を無効にすれば、電源オン時や再生の再開時にはオーディオＣＤに収録されている先頭楽曲から再生されることとなる。しかしながら、任意のトラックを再生している途中で先頭楽曲に戻すためには、やはり、電源をオフ・オンさせるか、停止・再生操作を行うかしなければならない。そのため、操作に時間を要してしまう上、オーディオ再生装置に即座に逆の動作を行わせるのは負担が大きくなり好ましくない。また、レジューム機能を無効にすると、常にオーディオＣＤの先頭楽曲からの再生になってしまい、かえって不便となることもある。
【００１４】
このように、従来のオーディオ再生装置においては、オーディオＣＤの任意のトラックを再生中に、簡単な操作で先頭楽曲に戻して再生させることはできなかった。しかしながら、車載用のオーディオ再生装置においては、オーディオＣＤの任意のトラックを再生中に、先頭楽曲から聴きたいという要求があった場合、簡単な操作でこれを実現できなければ運転中の安全性が損なわれることとなり、非常に危険である。
【００１５】
なお、リモコン等に「０」〜「９」の１０キーがある場合、「１」を押すことにより、簡単な操作で先頭楽曲からの再生が可能となるが、車載用のオーディオ再生装置においては、操作ボタンを配置可能なスペースが制限されるため、必要性の低い１０キーは設けられていない場合が多い。
【００１６】
本発明は、ＣＤやＤＶＤ等の記憶媒体に記録された楽曲（オーディオ情報）を再生させるときの利便性を向上できるオーディオ再生装置を提供することを目的とする。
【課題を解決するための手段】
【００１７】
上記目的を達成するため、請求項１に記載の発明は、オーディオ再生装置において、記憶媒体に記録されている楽曲を所定の再生順序に従って再生可能なオーディオ再生部と、再生順序が一番目である楽曲（先頭楽曲）の再生を指示可能な操作部と、前記操作部からの指示に基づいて前記所定の再生順序が一番目である楽曲を特定し、当該楽曲を前記オーディオ再生部によって再生させる制御部と、を備えることを特徴としている。
【００１８】
請求項２に記載の発明は、請求項１に記載のオーディオ再生装置において、前記記憶媒体は、該記憶媒体に記録されている楽曲を管理する楽曲管理情報（例えば、オーディオＣＤのＴＯＣ情報）を記憶し、前記制御部は、前記楽曲管理情報に基づいて前記再生順序が一番目である楽曲を特定することを特徴としている。
【００１９】
請求項３に記載の発明は、請求項１または２に記載のオーディオ再生装置において、前記記憶媒体は、該記憶媒体に記録されている楽曲を識別するための楽曲情報（例えば、ファイル名等のテキスト情報）を記憶し、前記制御部は、前記楽曲情報に基づいて前記再生順序が一番目である楽曲を特定することを特徴としている。
【００２０】
請求項４に記載の発明は、請求項１から３のいずれか一項に記載のオーディオ再生装置において、前記操作部は、前記再生順序が一番目である楽曲の再生を指示するための専用の操作ボタンであることを特徴としている。
【発明の効果】
【００２１】
本発明によれば、オーディオ再生装置において、ＣＤやＤＶＤ等の記憶媒体に記録されている楽曲の中で再生順序が一番目である楽曲（例えば、オーディオＣＤにおいては１番目のトラックに収録された楽曲）の再生を指示可能な操作部を設けるようにしたので、記憶媒体に記録されている楽曲（オーディオ情報）を再生させるときの利便性を格段に向上できる。
【００２２】
特に、車載用のオーディオ再生装置においては、記憶媒体に記録されている楽曲の中で再生順序が一番目である楽曲を再生させる際の操作により、運転中の安全性が極端に低下するのを回避できる。
【発明を実施するための最良の形態】
【００２３】
以下、本発明の実施の形態を図面に基づいて説明する。
図１は本発明に係るオーディオ再生装置の一例としての車載用ＡＶＮ（オーディオ・ビジュアル・ナビゲーション）装置の全体構成を示すブロック図であり、図２は車載用ＡＶＮ装置の外観を示す正面図である。
この車載用ＡＶＮ装置１００は、例えば、２ＤＩＮタイプのものであり、ダッシュボードの所定の取り付けスペースに設置される。
【００２４】
図１に示すように、車載用ＡＶＮ装置１００は、ディスクドライブ１０と、デコード部２０と、表示部３０と、音声出力部４０と、操作部５０と、制御部６０と、を備えて構成される。
【００２５】
ディスクドライブ１０は、ＣＤやＤＶＤ等のディスク状記憶媒体Ｍを装着可能に構成されている。具体的には、装着されたディスク状記憶媒体Ｍを回転するスピンドルモータ、ディスク状記憶媒体Ｍに記録されている情報を読み取る光ピックアップなどを備える。
【００２６】
デコード部２０は、ディスク状記憶媒体Ｍから読み出されたオーディオ情報又はビデオ情報に伸張・復号化処理を施す。
【００２７】
表示部３０は、図２に示すように、ＡＶＮ装置１００本体の前面略中央部に設けられ、例えば、タッチパネル付き液晶ディスプレイ（ＬＣＤ：liquid crystal display）で構成される。この表示部３０では、ＡＶＮ装置１００の利用モード（例えば、オーディオモード、ビデオモード、ナビゲーションモード等）に対応した種々の表示が行われる。
【００２８】
例えば、オーディオモードでは、ディスクドライブ１０に装着されたオーディオＣＤの目次情報（ＴＯＣ：Table of Contents）に基づいて再生進行時間やトラック番号などを表示したり、記憶媒体に楽曲のタイトル名やアーティスト名、アルバム名等の楽曲情報が記録されているときはこれらの情報を表示したりする。
【００２９】
また、表示部３０にはタッチパネルを採用しており、表示部３０の下部領域に配置された操作ボタン群５０ｂは後述する操作部２０の一部を構成する。なお、表示部３０としてのタッチパネル付きＬＣＤの構成は特に制限されるものではなく、アナログ容量結合方式、抵抗膜方式、光イメージセンサ方式等、種々の方式を利用することができる。
【００３０】
音声出力部４０は、デコード部２０で伸張・復号化されたディジタルオーディオ情報をアナログ変換するとともに、増幅してアナログオーディオ信号を図示しないスピーカ等に出力する。
【００３１】
本実施形態のＡＶＮ装置１００では、上述したディスクドライブ１０、デコード部２０、及び音声出力部４０によってオーディオ再生部が構成される。このオーディオ再生部は、後述する制御部６０からの制御信号に従って動作を制御され、例えば、ディスク状記憶媒体Ｍに記録されている楽曲を所定の再生順序に従って再生するように制御される。
【００３２】
操作部５０は、電源ボタンや音量ボタン、利用モードに応じた操作ボタン等の各種操作ボタンを備えて構成される。本実施形態では、操作部５０は、ＡＶＮ装置１００本体の枠体下部に設けられた操作パネル５０ａ及び表示部３０としてのタッチパネル付きＬＣＤに配置された操作ボタン群５０ｂにより構成されている（図２参照）。利用者がこの操作部５０を操作すると、操作信号が制御部６０に出力され、制御部はこの操作信号に基づいて各ブロックの動作を制御する。
【００３３】
操作パネル５０ａには、例えば、音量の上下や利用モードの選択、電源のオン／オフ等の操作ボタンが配置されている。これらの操作ボタンは、基本的に利用モードに関係なく所定の処理を実行させる。ただし、利用モードに応じて異なる機能を割り当てられる場合もある。
【００３４】
一方、表示部３０に配置される操作ボタン群５０ｂは、利用モードに応じて自在に変更される。図２は、オーディオモードで利用可能な操作ボタン群５０ｂの一例を示しており、再生ボタンＢ１、停止ボタンＢ２、戻り方向スキップボタンＢ３、送り方向スキップボタンＢ４、トップボタンＢ５が表示部３０の下部領域に配置されている。利用者は、表示部３０に配置されたこれらの操作ボタンＢ１〜Ｂ５を押下することでオーディオモードにおいて所望の処理を実行させることができる。
【００３５】
特に、本実施形態では、再生順序が一番目である楽曲の再生を指示するための専用の操作ボタンとしてトップボタンＢ５を設けており、利用者はこのトップボタンＢ５を操作することで、再生順序が一番目である楽曲（例えば、オーディオＣＤにおいては一番目のトラック）を即座に再生させることができる。なお、タッチパネルを利用してトップボタンＢ５を新設するようにしているので、操作ボタンの増設に伴い装置構成が複雑になることはない。
【００３６】
なお、上述した操作部５０を構成する操作ボタンの形態は一例であって、その種類、位置、大きさ、機能などはこれに限定されず、種々変更可能である。
【００３７】
制御部６０は、ＣＰＵ６１、ＲＯＭ６２、ＲＡＭ６３を有し、ＣＰＵ６１は、例えば、ＲＯＭ６２に格納されている制御プログラム等を実行して車載用ＡＶＮ装置１００の各ブロックを駆動制御する。
【００３８】
具体的には、ＣＰＵ６１は、利用者の操作に伴い操作部５０から操作信号が入力されると、ＲＯＭ６２に記録されたオーディオプレイヤー用の各種制御プログラムやアプリケーションプログラムなどを読み出してＲＡＭ６３内のプログラム格納領域に展開し、各種処理を実行する。この処理に際して生じる各種データは、ＲＡＭ６３内に形成されるワークエリア（データ格納領域）に一時的に記憶される。
【００３９】
本実施形態では、制御部６０は、トップボタンＢ５が操作されると、ディスク状記憶媒体Ｍに記録されている楽曲の中から再生順序が一番目である楽曲を特定し、当該楽曲をオーディオ再生部によって再生させるように制御する。
【００４０】
具体的には、ディスク状記憶媒体Ｍとして、複数の楽曲が収録されたオーディオＣＤがディスクドライブ１０に装着された場合は、このオーディオＣＤのリードイン領域に記録されているＴＯＣ情報に基づいて再生順序が一番目である楽曲を特定する。
【００４１】
ここで、ＴＯＣ情報とは、オーディオＣＤに収録されているトラック数（曲数）やトラック番号、各トラックに記録されている楽曲の演奏時間などを管理する情報である（楽曲管理情報）。例えば、ＡＶＮ装置１００にオーディオＣＤが装着され、任意のトラックが再生されている状態でトップボタンＢ５が操作されると、制御部６０は、ＴＯＣ情報に基づいて１番目のトラックを再生順序が一番目の楽曲として特定し、当該トラックを再生させることとなる。
【００４２】
次に、本実施形態のＡＶＮ装置１００を用いてオーディオＣＤを再生するときの楽曲再生制御処理について説明する。なお、この楽曲再生制御処理は制御部６０によって実行される。
【００４３】
図３は、ＡＶＮ装置１００で実行される楽曲再生制御処理を示すフローチャートであり、特に、オーディオＣＤの先頭楽曲から再生させるときの制御処理を示している。また、図４は、ＡＶＮ装置１００においてオーディオＣＤの先頭楽曲を再生させるときの操作及び再生位置の遷移状態を示す説明図である。
【００４４】
図４に示すように、一般的なオーディオＣＤにはトラック単位で楽曲のオーディオ情報が記録されており、ＡＶＮ装置１００では、特別な操作が行われない限りトラック番号に従って楽曲の再生が行われる。つまり、このオーディオＣＤにおいては１番目のトラックに収録されている楽曲が先頭楽曲ということになる。
【００４５】
図３において、まず、ステップＳ１０１で、オーディオＣＤを再生中であるか判定する。そして、オーディオＣＤを再生中であると判定した場合はステップＳ１０２に移行し、再生中でないと判定した場合はそのまま処理を終了する。
【００４６】
ステップＳ１０２では、任意のトラックを再生中にトップボタンＢ５が操作されたか判定する。そして、トップボタンＢ５が操作されたと判定した場合はステップＳ１０３に移行する。一方、操作されていないと判定した場合はそのまま処理を終了し、現在再生中の楽曲の再生が継続される。
【００４７】
ステップＳ１０３では、オーディオＣＤに収録されている複数の楽曲の中から先頭楽曲を検索する。具体的には、ＴＯＣ情報に含まれるトラック番号に基づいて先頭楽曲を特定し、再生位置（オーディオ情報の読み出し位置）を当該楽曲の先頭に遷移する。例えば、図４においては「Ｔｒａｃｋ−０１」の楽曲が先頭楽曲となる。
【００４８】
次いで、ステップＳ１０４では、特定された先頭楽曲の再生処理が行われる。具体的には、ディスクドライブ１０でオーディオＣＤの「Ｔｒａｃｋ−０１」に記録されているオーディオ情報を先頭から読み出し、デコード部２０で伸張・複合化処理を実行させ、音声出力部４０からアナログの再生音声信号を出力させる。
【００４９】
このように、本実施形態では、例えば、ｎ番目のトラックが再生されているときにトップボタンＢ５が操作されると、再生位置は１番目のトラックの先頭に遷移される（図４参照）。従来は、スキップボタンを複数回操作する必要があった（図５参照）のに対して、本実施形態のＡＶＮ装置１００ではトップボタンＢ５を一回操作するだけで再生位置を１番目のトラックの先頭に遷移させることができる。
【００５０】
したがって、ＡＶＮ装置１００において、オーディオＣＤを先頭楽曲から再生させるときの操作の煩わしさを解消でき利便性を格段に向上できるうえ、運転中の安全性が極端に損なわれるのを回避することができる。
【００５１】
以上、本発明者によってなされた発明を実施形態に基づいて具体的に説明したが、本発明は上記実施形態に限定されるものではなく、その要旨を逸脱しない範囲で変更可能である。
【００５２】
上記実施形態では、オーディオＣＤに収録された楽曲を再生させる場合について説明したが、再生させる記憶媒体はオーディオＣＤに制限されず、ＤＶＤオーディオ、ＣＤ−Ｒ、ＤＶＤ−Ｒ、ＭＤ（Mini Disk）等、各種記憶媒体に記録されている楽曲（オーディオ情報）を再生させるときにも、トップボタンＢ５を利用することができる。
【００５３】
また、ディスク状記憶媒体Ｍにアクセス可能なディスクドライブ１０の代わりに、オーディオ情報が記録されたハードディスクドライブや、フラッシュメモリ等の可搬型記憶媒体にアクセス可能な読み取り手段を備える構成としてもよいし、これらを組み合わせた構成としてもよい。
【００５４】
この場合、例えば、記憶媒体にオーディオＣＤのＴＯＣ情報のような楽曲管理情報が記録されていれば、制御部は、この楽曲管理情報を利用して先頭楽曲を特定することができる。
【００５５】
また、記憶媒体に楽曲管理情報が記録されていないときは、制御部は、記憶媒体に記録されている楽曲を識別するための楽曲情報（例えば、オーディオ情報に関連づけて付されたファイル名）に基づいて先頭楽曲を特定できるようにすればよい。
【００５６】
具体的には、ＣＤ−Ｒやハードディスクに、ＭＰ３形式やＷＭＡ形式のオーディオ情報が記録されている場合、それぞれのオーディオ情報に付されたファイル名（テキスト情報）の降順／昇順で再生順序が決定されるようにしておけば、これに基づいて先頭楽曲を特定することができる。なお、この場合、利用者は、ファイル名の先頭に番号等を付することにより、楽曲の再生順序を自由に変更することができる。
【００５７】
また、一つの記憶媒体に複数の楽曲のオーディオ情報がフォルダによって分類（例えば、アルバムごとやアーティストごとに分類）されて記録されている場合は、そのフォルダ内で先頭楽曲を特定するようにしてもよいし、当該記憶媒体に記録されている全楽曲の中から先頭楽曲を特定するようにしてもよい。
【００５８】
さらに、記憶媒体に記録されている楽曲を再生するためのオーディオソフトによって楽曲の再生順序が設定されている場合は、制御部によりこのオーディオソフトで設定された再生順序を解析させ、先頭楽曲を特定できるようにするのが望ましい。
【００５９】
また、本発明は、ディジタルのオーディオ情報を記録された記憶媒体に限らず、アナログのオーディオ情報を記録された磁気テープにも適用できる。磁気テープの場合、トップボタンＢ５が操作されると、例えば、再生中の状態（Ａ面／Ｂ面）に関わらず、Ａ面の先頭楽曲を再生できるように早戻し、早送り処理を実行させる。
【００６０】
また、上記実施形態では、表示部３０のタッチパネルを利用してトップボタンＢ５を新設するようにしたが、オーディオ再生装置が一般的に備えている既存の操作ボタン（例えば、再生トラックを選択可能なスキップボタンや曲を任意の位置から再生可能なサーチボタン等）を利用してトップボタンの機能を実現することもできる。例えば、戻り方向スキップボタンの長押しや、戻り方向サーチボタンの２回押し（連続押し）などが考えられる。
【００６１】
また、本発明は、記憶媒体に記録されたオーディオ情報を再生可能なオーディオ再生装置だけでなく、ビデオ情報を再生可能なビデオ再生装置にも適用できる可能性がある。例えば、ビデオ再生装置において、ＤＶＤに記録された映画等の動画像を再生する場合に先頭のチャプタから再生させたり、ＣＤ−Ｒに記録された写真等の静止画像をスライドショーで再生する場合に先頭の静止画像から表示させたりすることができる。
【図面の簡単な説明】
【００６２】
【図１】本発明に係るオーディオ再生装置の一例としての車載用ＡＶＮ（オーディオ・ビジュアル・ナビゲーション）装置の全体構成を示すブロック図である。
【図２】車載用ＡＶＮ装置の外観を示す正面図である。
【図３】ＡＶＮ装置１００で実行される楽曲再生制御処理を示すフローチャートである。
【図４】ＡＶＮ装置１００においてオーディオＣＤに収録されている先頭楽曲を再生させるときの操作及び再生位置の遷移状態を示す説明図である。
【図５】従来のオーディオ再生装置においてオーディオＣＤに収録されている先頭楽曲を再生させるときの操作及び再生位置の遷移状態を示す説明図である。
【符号の説明】
【００６３】
１０  ディスクドライブ
２０  デコード部
３０  表示部
４０  音声出力部
５０  操作部
Ｂ５  トップボタン
６０  制御部
６１  ＣＰＵ
６２  ＲＯＭ
６３  ＲＡＭ
１００  車載用ＡＶＮ装置
Ｍ  ディスク状記憶媒体
【図１】
2008226330.tif 000003
【図２】
2008226330.tif 000004
【図３】
2008226330.tif 000005
【図４】
2008226330.tif 000006
【図５】
2008226330.tif 000007